(57)【要約】【課題】横方向からの視認性を損なわず、防災機器収容箱の設置スペースを増加せず、更に、発信機カバーの露出面を有効に活用した表示部位を持つ位置表示灯を備える。【解決手段】発信機１２は、カバー部材１６と本体１８で構成され、カバー部材１６の露出面には、押釦スイッチを操作する保護板２２と保守扉２８を設ける。発信機１２は、カバー部材１６の露出面が防災機器収容箱のカバープレート面と面一となるように、防災機器収容箱に取り付けられる。カバー部材１６の露出面には位置表示灯３０を設ける。位置表示灯３０は、拡散部材を使用した表示部位３２をカバー露出面の中央部を除く外周側にリング状に配置し、本体１８側に配置した複数のＬＥＤ３６からの光を入射して表示部位３２を面発光させる。リング状の表示部位３２は、外周側に対し内周側を外方に僅かに飛び出した傾斜表示面３２ａを持つように形成し、側方からの視認性を高める。【選択図】図２
2018022540.tif 000002
【特許請求の範囲】
【請求項１】
カバー部材と、
前記カバー部材の背後に設けられた本体と、
前記本体に組み込まれ、前記カバー部材の略中央部に配置された保護板の押し込みによりオン操作される押釦スイッチと、
前記カバー部材の露出面に表示部位を有する位置表示灯と、
を備え、取付対象の取付面に形成された取付穴に向けて前記カバー部材が内側から組み込まれる発信機に於いて、
前記位置表示灯は、前記表示部位が前記カバー部材の露出面の外周側にリング状に配置されると共に、当該リング状の表示部位全体を発光させる光源を前記表示部位の背後に備え、
前記本体は、前記カバー部材が内側から組み込まれる際に、前記取付面の表側と前記カバー部材の露出面とが略面一となるように当該取付面の裏側に当接する位置決め片が形成されたことを特徴とする発信機。
【請求項２】
請求項１記載の発信機に於いて、前記リング状の表示部位は、外周側に対し内周側を外方に僅かに突出した傾斜表示面又は湾曲表示面を持つように形成されたことを特徴とする発信機。
【請求項３】
請求項１記載の発信機に於いて、前記リング状の表示部位は、１又は複数箇所で分割されたことを特徴とする発信機。
【請求項４】
請求項１記載の発信機に於いて、前記リング状の表示部位は、発信機を正面から見て少なくとも下側の一箇所に分離箇所を有し、当該分離箇所内に、前記本体と前記カバー部材との間に入った水を排水する水抜き構造を備えたことを特徴とする発信機。
【請求項５】
請求項１記載の発信機に於いて、
前記リング状の表示部位は、拡散部材であり、
前記光源は、前記リング状の表示部位の背後となる本体側に複数の発光素子が配置され、前記拡散部材を背光照明して面発光させることを特徴とする発信機。
【請求項６】
請求項１記載の発信機に於いて、
前記リング状の表示部位は、拡散部材であり、
前記光源は、前記本体側に配置された複数の発光素子からの光をライトガイド部材により前記拡散部材に導入して面発光させることを特徴とする発信機。
【請求項７】
請求項１記載の発信機に於いて、
前記リング状の表示部位は、拡散部材であり、
前記光源は、テープ状のフレキシブルプリント基板に、複数の発光素子がその発光面をテープ長手方向に直交する横方向に向けて実装された発光テープ部材が、前記発光素子の発光面を前記拡散部材に向けて円筒状に配置され、前記拡散部材を背光照明して面発光させることを特徴とする発信機。
【請求項８】
カバー部材と、
前記カバー部材の背後に設けられた本体と、
前記本体に組み込まれ、前記カバー部材の略中央部に配置された保護板の押し込みによりオン操作される押釦スイッチと、
前記カバー部材の露出面の外周側にリング状に配置された表示部位を有し、当該リング状の表示部位全体を発光させる光源が前記表示部位の背後に設けられた位置表示灯と、
を備えた発信機の取付方法に於いて、
取付対象の取付面に形成された取付穴に向けて前記カバー部材を内側から組み込み、前記本体に形成された位置決め片を当該取付面の裏側に当接させて、前記取付面の表側と前記カバー部材の露出面とを略面一とすることを特徴とする発信機の取付方法。
【発明の詳細な説明】
【技術分野】
【０００１】
本発明は、防災機器収容箱や壁面等に取り付けられ、火災時などに操作して異常発生を知らせる発信機及びこの発信機の取付方法に関する。
【背景技術】
【０００２】
従来、防災設備の発信機は、防災機器収容箱、消火栓箱や壁面などに取り付けられ、発信機の本体側に押釦スイッチを設け、カバー側に配置した保護板を押し込むことにより押釦スイッチをオン操作し、受信機へ火災通報信号を送信して警報させる。消火栓箱には、防災機器として発信機、位置表示灯など収容し、防災機器収容箱には、これに加えて音響孔を前面のカバープレート側に設け、本体側にベルを収納している。
【０００３】
位置表示灯は赤色表示灯を使用し、常時点灯して防災機器収容箱の位置を示して、非常の際に周囲の人に発信機の場所を認識させる。受信機は発信機からの火災通報信号を受信して火災警報を出力した場合、防災機器収容箱は発信機に地区音響信号を送出し、これにより防災機器収容箱のベルを鳴動して火災警報音を出力させる（特許文献１）。消火栓箱や壁面に発信機が取り付けられるときも同様に、発信機等の防災機器の位置を建物利用者に認識させるための位置表示灯とセットで設置される。
【０００４】
ところで、このような発信機等が設置されるときは各防災機器をセットとして設置するスペースを確保する必要があるが、近年、この設置スペースを低減するため、防災機器用収容箱を小型化するために位置表示灯を廃止し、発信機に位置表示灯を一体に設けることが提案されている。位置表示灯を一体に設けた発信機にあっては、発信機に設けた押釦スイッチの周囲を取り囲むように位置表示灯を配置したものが提案されている（特許文献２）。この押釦スイッチの周囲を囲むように設けた位置表示灯は、複数のＬＥＤを分布配置したり、シート状発光部材を発信機の正面に配置して面状に発光している。
【先行技術文献】
【特許文献】
【０００５】
【特許文献１】特開平９−１０２０８５号公報
【特許文献２】実開平５−６６７９４号公報
【特許文献３】特開２０１１−１６５１１４号公報
【特許文献４】特開２００１−２５６８６５号公報
【特許文献５】特開２００９−３０１１１５号公報
【特許文献６】特開２００７−２５７１０７号公報
【発明の概要】
【発明が解決しようとする課題】
【０００６】
しかしながら、このような従来の押釦スイッチの周囲を取り囲むようにシート状発光部材を発信機正面に配置した位置表示灯を備えた発信機を防災機器収容箱に取り付けた場合、シート状発光部材の発光面は機器収納箱のカバープレート面と面一になることから、防災機器収容箱を横方向から見た場合に位置表示灯の視認性が低下する問題がある。
【０００７】
この問題を解決するためには、従来の独立して設けていた位置表示灯のように、防災機器収容箱の取付面から発光面が外側に突出するように発信機を取り付ければ良いが、突出した分、防災機器収容箱の設置スペースが増加することになる。
【０００８】
また、押釦スイッチの周囲を取り囲むようにシート状発光部材を発信機の正面に配置することで、位置表示灯としての表示面積を最大にすることが可能であるが、光源からの光を入射して面発光するシート状発光部材を、必要な輝度で均一に発光させるためには、例えば光源としてＬＥＤを使用した場合、多数のＬＥＤをシート状発光部材の背後に分布配置する必要があり、構造が複雑化してコストアップになり、消費電力が増大する問題がある。
【０００９】
また、発信機の本体内部には、扉でカバーされた電話ジャックを設けたものがあり、この場合には、発信機表面の電話ジャックの扉及び押釦スイッチの保護板の周囲を取り囲むようにシート状発光部材を発信機の正面に配置することになり、表示面積が小さくなると共に、シート状発光部材の形状が複雑となり、これに合せたＬＥＤの分布配置は複雑化する問題がある。
【００１０】
本発明は、横方向からの視認性を損なわず且つ防災機器収容箱の設置スペースを増加せず、更に、発信機表面カバーの露出面を有効に活用した表示部位を持つ位置表示灯を備えた発信機及びこの発信機の取付方法を提供することを目的とする。
【課題を解決するための手段】
【００１１】
（発信機）
本発明は、
カバー部材と、
カバー部材の背後に設けられた本体と、
本体に組み込まれ、カバー部材の略中央部に配置された保護板の押し込みによりオン操作される押釦スイッチと、
カバー部材の露出面に表示部位を有する位置表示灯と、
を備え、取付対象の取付面に形成された取付穴に向けて前記カバー部材が内側から組み込まれる発信機に於いて、
位置表示灯は、表示部位がカバー部材の露出面の外周側にリング状に配置されると共に、当該リング状の表示部位全体を発光させる光源を表示部位の背後に備え、
本体は、カバー部材が内側から組み込まれる際に、取付対象の取付面の表側とカバー部材の露出面とが略面一となるように当該取付面の裏側に当接する位置決め片が形成されたことを特徴とする。
【００１２】
（前方に突出した傾斜表示面）
リング状の表示部位は、外周側に対し内周側を外方に僅かに突出した傾斜表示面又は湾曲表示面を持つように形成される。
【００１３】
（リング状表示部位の分割）
リング状の表示部位は、１又は複数箇所で分割される。
【００１４】
（水抜き構造）
リング状の表示部位は、発信機を正面から見て少なくとも下側の一箇所に分離箇所を有し、当該分離箇所内に本体とカバー部材との間に入った水を排水する水抜き構造を備える。
【００１５】
（拡散部材と光源）
リング状の表示部位は、拡散部材であり、光源は、リング状の表示部位の背後となる本体側に複数の発光素子が配置され、拡散部材を背光照明して面発光させる。また、複数の発光素子からの光をライトガイド部材により拡散部材に導入して面発光させる。
【００１６】
リング状の表示部位は、拡散部材であり、光源は、テープ状のフレキシブルプリント基板に、複数の発光素子がその発光面をテープ長手方向に直交する横方向に向けて実装された発光テープ部材が、発光素子の発光面を導光部材に向けて円筒状に配置され、拡散部材を背光照明して面発光させる。
【００１７】
（発信機の取付方法）
カバー部材と、
カバー部材の背後に設けられた本体と、
本体に組み込まれ、カバー部材の略中央部に配置された保護板の押し込みによりオン操作される押釦スイッチと、
カバー部材の露出面の外周側にリング状に配置された表示部位を有し、当該リング状の表示部位全体を発光させる光源が前記表示部位の背後に設けられた位置表示灯と、
を備えた発信機の取付方法に於いて、
取付対象の取付面に形成された取付穴に向けてカバー部材を内側から組み込み、本体に形成された位置決め片を当該取付面の裏側に当接させて、取付面の表側とカバー部材の露出面とを略面一とすることを特徴とする。
【発明の効果】
【００１８】
（基本的な効果）
本発明の発信機によれば、位置表示灯として、表示部位をカバー露出面の中央部を除く外周側にリング状に配置し、表示部位の裏側から光源を発光してリング状の表示部位を略均一に面発光させるようにしたため、位置表示灯の表示部位はカバー露出面の中央部を除く外周側にリング状に配置していることから、カバー露出面の中央部に設ける押釦スイッチの保護板などと干渉することがなく、カバー露出面の空き面積を最大限に生かした表示部位とすることで十分な発光面積により視認性を確保することを可能とする。
【００１９】
また、位置表示灯のリング状の表示部位は、外周側に対し内周側を前方に僅かに飛び出
した傾斜表示面又は湾曲表示面を持つように形成したため、この傾斜表示面又は湾曲表示
面の発光により側方からの視認性を高めることを可能とし、また、外側への突出量を必要
最小限に抑えることで、防災機器収容箱の設置スペースの増加を回避可能とする。
【００２０】
（リング状表示部位の分割による効果）
リング状の表示部位は、１又は複数に分割した分割表示部位、例えば防災機器収容箱に取り付けた場合に上下となる２箇所、左右となる２箇所、又は上下左右となる４箇所で分割した分割表示部位をリング状に連設するようにしたため、例えば発信機の水抜き構造等を設けた部分を避けて、実質的にリング状となるように、表示部位を配置することが簡単にできる。
【００２１】
（拡散部材と光源による効果）
リング状の表示部位は拡散部材であり、光源は、リング状の拡散部材の背後となる本体側に複数の発光素子を配置して拡散部材を背光照明して面発光させるようにしたため、例えば発光素子としてＬＥＤを使用する場合、拡散部材の背後でリング方向にＬＥＤを所定間隔で複数配置すればよく、中央部の押釦スイッチや電話ジャックの配置スペースと干渉することなく複数のＬＥＤを配置することを可能とする。
【００２２】
また、光源は、本体側に配置した複数の発光素子からの光をライトガイド部材により導光板に導入して発光させるようにすることで損失を低減し、使用するＬＥＤなどの発光素子の数を低減可能とする。
【００２３】
また、テープ状のフレキシブルプリント基板に複数の発光素子をその発光面をテープ長手方向に直交する横方向に向けて配置した発光テープ部材を、リング状の拡散部材に対応して円筒形に形成して配置することで、リング状の拡散部材に対応した複数の発光素子の組込みが簡単な構造で容易にできることを可能とする。
【図面の簡単な説明】
【００２４】
【図１】本発明の発信機を備えた防災機器収容箱を示した説明図
【図２】発信機の実施形態を示した説明図
【図３】図２の内部構造を示した断面図
【図４】位置表示灯にライトガイドを使用した発信機の他の実施形態を示した説明図
【図５】位置表示灯にＬＥＤテープを使用した発信機の他の実施形態を示した説明図
【図６】図５のＬＥＤテープを取り出して示した説明図
【図７】一箇所で分離したリング状の表示部位をもつ位置表示灯を設けた発信機の他の実施形態を示した説明図
【図８】上下左右の４箇所でリング状に分割した表示部位を持つ位置表示灯を設けた発信機の他の実施形態を示した説明図
【発明を実施するための形態】
【００２５】
［防災機器収容箱］
図１は本発明による発信機を備えた防災機器収容箱を示した説明図である。図１に示すように、防災機器収容箱１０は例えば板金加工等により作られたカバー付きのボックスであり、壁面に埋め込まれるか、又は壁面に取り付けられる。防災機器収容箱１０の正面のカバープレート１０ａには、本発明による赤色に着色した発信機１２を設けると共にその下に音響孔１４を形成し、音響孔１４の背後となるボックス内に収納している本体プレート（図示せず）にベル、ブザーなどの音響装置を収納している。
【００２６】
発信機１２は、その中央に、内蔵した押釦スイッチをオン操作するため透明アクリル板等を用いた保護板２２と、内部に電話ジャックを配置した保守扉２８を設け、周囲にリング状の表示部位をもつ位置表示灯３０を設けている。
【００２７】
発信機１２は、防災機器収容箱１０の正面のカバープレート１０ａに形成した取付穴に内側から組み込まれ、カバーの表側の取付面と発信機１２の表面が略面一となるように取り付けている。
【００２８】
［発信機の実施形態］
（発信機の構成）
図２は図１の防災機器収容箱に設けた発信機を取り出してその実施形態を示した説明図であり、図２（Ａ）に正面を示し、図２（Ｂ）に側面を示しており、また図３は発信機の内部構造を防災機器収容箱に対する取付け状態と合せて示した断面図である。
【００２９】
図２及び図３に示すように、発信機１２は、カバー部材１６、本体１８及び裏蓋２０で構成され、本体１８の背後に固定した裏蓋２０の取付部２０ａを、防災機器収容箱１０の内部に設けた本体プレート１０ｂにネジ止めなどで固定し、カバー部材１６を機器収容箱のカバープレート１０ａに形成した取付穴に内側から組み込み、カバー部材１６の露出面をカバープレート１０ａの表面と略面一となるようにしている。なお、発信機１２の防災機器収容箱１０に対する取付構造は、これ以外にも、適宜の構造とすることができる。
【００３０】
カバー部材１６は嵌合爪１６ａを本体１８に嵌合することで固定される。本体１８は内部に回路基板２４を収納しており、回路基板２４にスイッチノブ２６ａを備えた押釦スイッチ２６及び位置表示灯３０の光源として使用する複数のＬＥＤ３６を実装している。本体１８の図示で上部外側の４箇所には位置決め片１８ａが形成され、防災機器収容箱１０のカバープレート１０ａの裏面に当接して取付け位置を決めている。
【００３１】
カバー部材１６には位置表示灯３０が設けられる。位置表示灯３０は、カバー部材１６の露出面（表面）の中央部を除く外周側に一対の表示部位３２をリング状に配置している。即ち表示部位３２はリングを左右に２分割した分割表示部位となる。
【００３２】
表示部位３２には赤色に発光する拡散部材を使用している。拡散部材はＬＥＤなどの点光源からの光を入射して面発光に変換する部材である。表示部位３２となる拡散部材の背後にはＬＥＤ収納部３４が形成され、そこに回路基板２４に実装した複数のＬＥＤ３６をリング状に所定間隔で配置し、ＬＥＤ３２の背光照明による光を拡散部材を用いた表示部位３２に入射して位置表示灯３０全面を略均一に赤色に発光させる。
【００３３】
また表示部位３２の表示面は、外周側に対し内周側を僅かに前方に突出した傾斜表示面３２ａに形成しており、この傾斜表示面３２ａにより横方向から位置表示灯３０を見た場合の視認性を高めるようにしている。傾斜表示面３２ａの傾斜度合は、防災機器収容箱１０のカバー表面からの突出寸法が例えば数ミリメートルを超えない範囲で適宜の角度に定めれば良い。なお、傾斜表示面３２ａの代わりに湾曲表示面としても良い。
【００３４】
（位置表示灯の視認性）
図２及び図３に示した発信機１２の位置表示灯３０は、図１の機器収容箱１０を警戒区域の壁面に例えば埋込設置した状態で常時点灯して赤色に発光しており、発信機１２の設置場所を遠方からでも容易に視認可能としている。この場合、位置表示灯３０の拡散部材を使用した表示部位３２は、カバー部材１６の外周に沿って左右に２分割したリング状の部材として配置されており、ＬＥＤ３６からの光を入射してリング状に発光し、遠方から見た場合、発信機１２の前面となる露出面全体が均一に光る十分に広い面積の面発光として見え、従来設けていた専用の位置表示灯と比較しても、同等又はそれ以上の視認性を確保することが可能となる。
【００３５】
また、表示部位３２は外側に僅かに傾斜した傾斜表示面３２ａを形成しているため、この傾斜表示面３２ａにより斜め横方向へ向けた面発光となり、発信機１２を斜め横方向から見た場合に十分な視認性を更に確保することを可能とする。
【００３６】
また、発信機１２に設けた位置表示灯３０は、防災機器収容箱のカバープレート表面から数センチ程度突出して設けている従来の専用の位置表示灯に比べ、防災機器収容箱のカバー表面と略面一となって突出量は略無視できる程度に小さく、防災機器収容箱に位置表示灯３０を備えた発信機１２を取り付けても、設置スペースを増加させることはなく、特に、防災機器収容箱を壁面に埋込み設置している場合に、位置表示灯３０を備えた発信機１２が前方に飛び出すことがない。
【００３７】
［ライトガイドを用いた他の実施形態］
図４は位置表示灯にライトガイドを使用した発信機の他の実施形態を示した説明図であり、図４（Ａ）に正面を示し、図４（Ｂ）に側面を示している。
【００３８】
図４に示すように、この実施形態にあっては、カバー部材１６にリング状に配置した表示部位３２の背後のＬＥＤ収納部３４にライトガイド４０を配置し、ＬＥＤ３６からの光をライトガイド４０を通して導光部材を用いた表示部位３２に入射して全面を均一に赤色に光るようにしている。ライトガイド４０は例えば円柱形の透光部材の外周に反射層を形成した構造であり、ＬＥＤ３６からの光を周囲に拡散されることなく軸方向に低損失で伝播して表示部位３２に入射させる。またライトガイド４０としては、複数本の光ファイバを束ねたものを使用してもよい。
【００３９】
このようにＬＥＤ３６からの光を、ライドガイド４０を通して拡散部材を用いた表示部位３２に入射することで、入射する光量の損失を低減することができ、その結果、例えば図２及び図３の実施形態に比べ、使用するＬＥＤ３６の数を少なくすることができる。それ以外の構成は図２及び図３の実施形態と同じになることから、その説明を省略する。
【００４０】
［ＬＥＤテープを光源に用いた他の実施形態］
図５は位置表示灯の光源にＬＥＤテープを使用した発信機の他の実施形態を示した説明図であり、図５（Ａ）に正面を示し、図５（Ｂ）に側面を示し、図６はＬＥＤテープを取り出して示した説明図であり、図６（Ａ）に平面を示し、図６（Ｂ）に側面を示している。
【００４１】
図５及び図６に示すように、この実施形態にあっては、発信機１２に設けた位置表示灯３０の光源としてＬＥＤテープ４１を使用している。
【００４２】
ＬＥＤテープ４１は発光テープ部材として機能し、図６に示すように、テープ状のフレキシブルプリント基板（ＦＰＣ）４２に複数のＬＥＤチップ４４を所定の間隔で実装している。本実施形態の場合、テープ状のフレキシブルプリント基板４２の図示外側上部にＬＥＤチップ４４を所定間隔で配置している。ＬＥＤチップ４４は微小な箱型のチップであり、中央に発光面４６を図示上向きに設け、その両側に電極４８を備え、電極４８をフレキシブルプリント基板４２に形成した回路パターンにハンダ付け固定している。また、防水性を確保するため、ＬＥＤテープ４１全体に透明樹脂材料によるコーティングを施しても良い。またＬＥＤテープ４１は、図５に示すリング状の導光部材を用いた表示部位３２に対応して円筒形に形成している。
【００４３】
図６に示すように、円筒形に形成したＬＥＤテープ４１は、本体１８のＬＥＤ収納部３４に収納され、フレキシブルプリント基板４２は回路基板２４にハンダ付けで実装され、ＬＥＤチップ４４はその上側の発光面４６を上部に位置する位置表示灯３０の拡散部材を用いた表示部位３２に向けて配置し、背光照明による光を入射して全面を均一に赤色に光らせるようしている。
【００４４】
このようなＬＥＤテープ４１を光源に使用することで、多数のＬＥＤチップをリング状の表示部位３２に合せて簡単な構造で配置でき、コストも低減できる。
【００４５】
［リング状の表示部位］
図７、図８はリング形状の位置表示灯の他の実施形態を示した説明図である。図７は、下側の一箇所で分離したリング状の表示部位３２をもつ位置表示灯３０を設けた発信機１２の実施形態を示した説明図であり、分離箇所が１箇所であることから、その分、表示面積を図２の実施形態より大きくすることができ、位置表示灯３０の視認性を向上することができる。なお、表示部位３２の分割箇所を発信機１２の下側としているのは、その内部に水抜き構造（図示せず）を設けて、発信機１２のカバー部材１６と本体１８の間に入った水が表示部位３２の分割箇所から下方へ排水するための排水路を形成している。
【００４６】
図８は、上下左右の４箇所でリング状に分割した表示部位３２を持つ位置表示灯３０を設けた発信機１２の他の実施形態を示した説明図であり、４箇所で分割した分、表示面積は低下するが、発信機１２の左右方向から位置表示灯の視認性は十分確保できる。ＬＥＤの発光量を増やすことで、十分な視認性を確保することもできる。また、拡散部材を用いた表示部位３２が４分割されることで、それぞれのサイズを小さくでき、製造時の撓みなどによる変形が少なくなり、カバー部材１６に対する合成射出や取付配置などによる一体化が簡単になる。また、表示部位３２を４分割してリング状に配置したことで、デザイン的に見栄えをよくすることもできる。
【００４７】
なお、表示部位３２の分割は、これ以外に、横２分割、３分割など必要に応じて適宜に分割してもよい。また、分割せずに完全なリング状としても良い。表示部位を完全なリング状とした場合、その下側の内部には水抜き構造を設けるため、水抜き構造の部分を避けてＬＥＤを配置すれば良い。
【００４８】
［本発明の変形例］
上記の実施形態は、防災機器収容箱に取り付けて使用する発信機を例にとるものであったが、単独で壁面等に設置する発信機或いは消火栓装置に設置する発信機についても、同様な位置表示灯を一体に設けることができる。
【００４９】
また、上記の実施形態にあっては、位置表示灯の表示部位に拡散部材を使用しているが、導光部材を使用しても良い。導光部材は、例えばアクリル製の導光板の裏面に反射ドットを印刷しており、導光板のエッジから入射した光をアクリルの全反射を用いてアクリル全面に導き、反射ドットに当たった光がその進路を変え、全反射角よりも小さい角度になった光がアクリル前面から出てくることを利用して、導光板全面を均一に赤く光るようにする。
【００５０】
また、上記の実施形態は、リング状の表示部位は、外周側に対し内周側を外方に僅かに突出した傾斜表示面又は湾曲表示面を持つように形成しているが、これに限らず、突出しない平面板でもよく、一般人が斜め横から発信機の位置を視認できる形状であれば良い。例えば、図２のような上下方向に連続発光する表示部位が２本ある構成では、左右から十分な視認性を得ることができる。
【００５１】
また、本発明は上記の実施形態に限定されず、その目的と利点を損なうことのない適宜の変形を含み、更に上記の実施形態に示した数値による限定は受けない。
【符号の説明】
【００５２】
１２：発信機
１６：カバー部材
１８：本体
２２：保護板
２６：押釦スイッチ
２８：保守扉
３０：位置表示灯
３２：表示部位
３２ａ：傾斜表示面
３４：ＬＥＤ収納部
３６：ＬＥＤ
４０：ライトガイド
４１：ＬＥＤテープ
４２：フレキシブルプリント基板
４４：ＬＥＤチップ
４６：発光面
【図１】
2018022540.tif 000003
【図２】
2018022540.tif 000004
【図３】
2018022540.tif 000005
【図４】
2018022540.tif 000006
【図５】
2018022540.tif 000007
【図６】
2018022540.tif 000008
【図７】
2018022540.tif 000009
【図８】
2018022540.tif 000010